(57)【特許請求の範囲】
【請求項１】
湯供給流路に連通する湯流路、水供給流路に連通する水流路および湯水混合水の混合流路を有する胴と、前記混合流路に連通する吐水流路を形成する吐水管本体および前記胴を着脱自在に被覆する第１の円筒状胴カバーを有する吐水管とを備えた浄水機能を持たない湯水混合水栓の前記吐水管を前記胴から取り外し、浄水カートリッジを内蔵した吐水管本体および第２の円筒状胴カバーよりなる吐水管を、前記胴に取り付けるために用いられる第１部材および第２部材よりなるアダプタであって、前記第１部材は、前記湯流路、水流路および混合流路にそれぞれ連通可能な流路を有し、前記胴の上面に載置される一方、前記第２部材は、前記胴および前記第１部材が内嵌可能で、かつ、前記第２の円筒状胴カバーが外嵌可能な筒状形状を有することを特徴とする湯水混合水栓における吐水管取り替え用アダプタ。
【請求項２】
前記第２部材は、前記胴に接続可能な接続部を有し、この接続部に接続された前記胴および前記第１部材を内嵌させ、かつ、前記第２の円筒状胴カバーを外嵌させた状態で、前記第２の円筒状胴カバーがずれ落ちないよう外向きフランジを下端に有する請求項１に記載の湯水混合水栓における吐水管取り替え用アダプタ。
【発明の詳細な説明】
【０００１】
【発明の属する技術分野】
この発明は、浄水機能を持たない湯水混合水栓の吐水管を前記湯水混合水栓の胴から取り外した後、浄水カートリッジを吐水管本体に内蔵した吐水管を、前記胴に取り付けるために用いられる湯水混合水栓における吐水管取り替え用アダプタに関する。
【０００２】
【従来の技術および発明が解決しようとする課題】
湯水混合水栓として、図４に示すように、湯供給流路に連通する湯流路Ｈ、水供給流路に連通する水流路（図示せず）および湯水混合水が流れる環状の混合流路Ｍを有する胴２と、連通孔２７を介して混合流路Ｍに連通する吐水流路Ｊを形成する吐水管本体３および胴２を着脱自在に被覆する円筒状胴カバー４を有する吐水管５とを備え、湯水混合栓取付面部６を上下に貫通して形成された一つの貫通孔７に湯流路Ｈを形成するフレキシブルホース８ａと水流路を形成するフレキシブルホース８ｂ（図１参照）が挿通されているシングルレバー９付きのワンホール混合水栓１があるけれども、同じワンホール混合水栓でも、図５に示したような湯流路（図示せず）、水流路Ｃおよび湯水混合水が流れる環状の混合流路ｍを有する胴２’と、浄水カートリッジ１０を内蔵した吐水管本体３’および胴２’を着脱自在に被覆する円筒状胴カバー４’を有する吐水管５’とを備えた浄水機能付湯水混合水栓１’ではないことから、浄水機能が欲しいときは、湯水混合水栓１自体を浄水機能付湯水混合水栓１’に交換する必要があり、コストがかかるという問題があった。
【０００３】
この発明はこのような実情を考慮に入れてなされたものであって、浄水カートリッジを内蔵した吐水管を、浄水機能を持たない湯水混合水栓の吐水管に代えて容易に後付け設置できる湯水混合水栓における吐水管取り替え用アダプタを提供することを目的としている。
【０００４】
【課題を解決するための手段】
すなわち、この発明の湯水混合水栓における吐水管取り替え用アダプタは、湯供給流路に連通する湯流路、水供給流路に連通する水流路および湯水混合水の混合流路を有する胴と、前記混合流路に連通する吐水流路を形成する吐水管本体および前記胴を着脱自在に被覆する第１の円筒状胴カバーを有する吐水管とを備えた浄水機能を持たない湯水混合水栓の前記吐水管を前記胴から取り外し、浄水カートリッジを内蔵した吐水管本体および第２の円筒状胴カバーよりなる吐水管を、前記胴に取り付けるために用いられる第１部材および第２部材よりなるアダプタであって、前記第１部材は、前記湯流路、水流路および混合流路にそれぞれ連通可能な流路を有し、前記胴の上面に載置される一方、前記第２部材は、前記胴および前記第１部材が内嵌可能で、かつ、前記第２の円筒状胴カバーが外嵌可能な筒状形状を有することを特徴とする。
【０００５】
【発明の実施の形態】
図１〜図３は、この発明の一実施形態を示す。なお、図１〜図３において、図４、図５に示した符号と同一のものは同一または相当物である。
【０００６】
以下、この発明の一実施形態を図４、図５も参照して説明する。
【０００７】
まず、図１、図４において、浄水機能を持たない湯水混合水栓１は、胴２と、胴上面ｎに載置された弁機能を有するシングルレバー９用のカートリッジ１１と、カートリッジ１１内で混合された湯水混合水が流れる混合流路Ｍに連通する吐水流路Ｊを形成する吐水管本体３および胴２を着脱自在に被覆する第１の円筒状胴カバー４を有する吐水管５と、カートリッジ１１に設けた弁棒１２に連動連結され、吐水管５に供給される湯水の混合比と止水を含む吐水量の調整を行うシングルレバー９とから主としてなる。
【０００８】
胴２は、上下方向におけるほぼ中間位置に混合流路Ｍを形成する環状溝２０を円周方向に有し、また、この環状溝２０の内周面Ｎに、弁機能を有するシングルレバー９用のカートリッジ１１から導出する湯水混合水の導出流路Ｇと環状の混合流路Ｍとを連通するための導出孔２１を有する。Ｈ’は、湯流路Ｈを形成するための穴、Ｃ’は、水流路を形成するための穴、Ｇ’は、導出流路Ｇを形成するための穴である。また、胴２は、環状溝２０と胴上面ｎ間に環状溝２２を円周方向に有し、この環状溝２２には合成ゴムのＵパッキン２３が嵌込まれている。更に、胴２は、最下端における中央位置から突出した状態で短円柱状のフランジ１５を有し、このフランジ１５の底面１５ａよりも長さＺだけ高い位置に環状の当接面２ｄを有するとともに、このフランジ１５と環状溝２０間にも環状溝２４を円周方向に有する。前記環状溝２４にも合成ゴムのＵパッキン２５が嵌込まれている。また、胴２は、上端に外ねじ３０を有する。
【０００９】
前記短円柱状のフランジ１５の周面１５ｆには、Ｏリング１６が嵌め込まれ、、このＯリング１６に座金１３が嵌め込まれている。そして、座金１３およびＯリング１６に跨がって両者１３，１６の直下に座パッキン１４が設けられ、前記当接面２ｄおよび湯水混合栓取付面部６の上面６ａ間に挟まれた形でＯリング１６、座金１３および座パッキン１４が位置している。胴２の外周面２ｇからの座金１３および座パッキン１４の出っ張り幅Ｌは小さい。
【００１０】
一方、前記第１の円筒状胴カバー４は、下端面４ａが座金１３の上端面１３ａに当接している。胴カバー４は、前記外ねじ３０を露出する形で上下に位置するＵパッキン２３，２５を介して取り外し可能に嵌め込まれる。Ｕパッキン２３，２５が胴カバー４の内周面４ｂに水密状態に摺接することにより、環状溝２０の混合流路Ｍを流れる湯水混合水がリークするのを防止している。胴カバー４は、混合流路Ｍと吐水流路Ｊを連通させるための連通孔２７を吐水管本体３に対応する位置に有し、連通孔２７と環状溝２０が対向しながら水密状態で胴カバー４の前記フランジ１５を除く胴下部を被覆するとともに、内周面４ｂが環状溝２０の上下にそれぞれ位置するＵパッキン２３および２５を摺接しながら、吐水管本体３と共に胴下部のまわりを回動するよう構成されている。このとき、胴カバー４は、下端面４ａが座金１３の上端面１３ａに当接することで座金１３によって支持されているので、胴２から胴カバー４、ひいては吐水管５がずれ落ちることはない。
【００１１】
一方、胴２の外ねじ３０を含む上部およびカートリッジ１１は、上カバー２９によって被覆されている。上カバー２９は、胴２の上端に形成された前記外ねじ３０に螺合する内ねじ３１を下部に有する。すなわち、上カバー２９は胴カバー４のように胴２のまわりを回動せずに固定された状態にある。また、シングルレバー９は、上下方向、左右方向に回動可能なように上カバー２９に取り付けられている。
【００１２】
したがって、図４で示す組付けられた状態の湯水混合水栓１において、上カバー２９と胴２とのねじ結合を解除して胴２から、シングルレバー９と共に上カバー２９を取り外し、続いて、胴カバー４を胴２から引き抜くことで胴２から吐水管５を取り外すことができる。図１の紙面左側には、胴２から上カバー２９と吐水管５を取り外した状態が示されている。
【００１３】
次に、図１、図５において、浄水機能付湯水混合水栓１’は、前記胴２よりも大径の胴２’と、胴上面ｎ’に載置された弁機能を有するシングルレバー９’用のカートリッジ１１’と、混合流路ｍに連通する吐水流路Ｊ’を形成する浄水カートリッジ１０が内蔵されている吐水管本体３’および胴２’を着脱自在に被覆する第２の円筒状胴カバー４’を有する吐水管５’と、カートリッジ１１’の弁棒１２’に連動連結され、吐水管５’に供給される湯水の混合比と止水を含む吐水量の調整を行うシングルレバー９’とから主としてなる。胴カバー４’は、胴カバー４よりも大径である。カートリッジ１１’は、セラミック製の固定ディスク４７およびセラミック製の可動ディスク４８を内蔵したカバー筒体４９を有し、カートリッジ押さえ５０によって胴上面ｎ’に載置されている。すなわち、カートリッジ押さえ５０は、最下端に内ねじ５０ａを有する一方、胴２’は、最上端に前記内ねじ５０ａに螺合する外ねじ５０ｂを有する。また、胴２’の外ねじ５０ｂを含む上部およびカートリッジ押さえ５０は、上カバー２９’によって被覆されている。上カバー２９’は、胴２’の上端における外周面に形成されたピン穴５２に嵌め込まれる平行ピン５３により胴２’に係止される。
【００１４】
更に、浄水機能付湯水混合水栓１’は、胴２’から供給される湯水混合水、水、あるいは、湯よりなる原水や、その浄水を吐水するシャワヘッド３３を有する。このシャワヘッド３３は、円筒状の浄水カートリッジ１０が取替自在に内蔵されている合成樹脂製のカートリッジ収容ケースを兼用するグリップ部３４と、このグリップ部３４の下流端に簡易な着脱手段で接続される合成樹脂製の吐水口本体３５とよりなる。グリップ部３４は、上部材３４ａと下部材３４ｂよりなる。吐水口本体３５は、グリップ部３４および浄水カートリッジ１０間に形成される環状の原水流路３３ａを流れる原水が通過する原水用開口３７と、浄水流路３３ｂを流れる浄水が通過する浄水用開口３８とを、吐水口本体３５の上流端の上下位置に有する。
【００１５】
胴２’は、上下方向におけるほぼ中間位置に混合流路ｍを形成する環状溝２０’を円周方向に有する。また、胴２’は、環状溝２０’と胴上面ｎ’間に環状溝２２’を円周方向に有し、この環状溝２２’には合成ゴムのＵパッキン２３’が嵌込まれている。更に、胴２’は、環状溝２０’の下側における外周において、環状溝２４’を円周方向に有し、この環状溝２４’にも合成ゴムのＵパッキン２５’が嵌込まれている。
【００１６】
そして、胴カバー４’は、混合流路ｍと原水流路３３ａを連通させるための連通孔２７’を吐水管本体３’に対応する位置に有する。また、胴カバー４’は、Ｕパッキン２３’および２５’を摺接しながら、吐水管本体３’と共に胴下部のまわりを回動するよう構成されている。すなわち、胴カバー４’は、下端の内周面に環状溝２００を有する一方、対応する胴２’の外周面に環状溝３００を有し、両環状溝２００，３００間にＯリング７９が嵌め込まれている。そして、胴カバー４’は、胴カバー４’の直下に位置し、胴２’の外周面に嵌め込まれたリング状のフランジ７８の上面と胴カバー４’の底面間に位置するリング状のスベリ部材７８ａによって回動できる。
【００１７】
以下、この発明の特徴的構成について説明する。
図１〜図３において、６０は、吐水管５を胴２から取り外す一方、吐水管５’を胴２に取り付けるために用いられる第１部材６１および第２部材６２よりなるアダプタである。
【００１８】
前記第１部材６１は、円柱状で、浄水機能を持たない湯水混合水栓１の胴２に形成された前記湯流路Ｈに連通可能な流路を有し、胴２に形成された前記水流路に連通可能な流路を有し、胴２に形成された前記導出流路Ｇを介して前記混合流路Ｍに連通可能な流路Ｍ’を有し、前記胴２の上面ｎに載置される。６３は、胴２に形成された前記湯流路Ｈに連通可能な流路を形成する穴、６４は、胴２に形成された前記水流路に連通可能な流路を形成する穴、６５は、前記流路Ｍ’を形成する穴である。
【００１９】
第１部材６１は、外径ｒを有する上部小径部６１ａと、胴２の外径と等しい外径Ｒ（＞ｒ）を有する下部大径部６１ｂよりなる。
【００２０】
一方、前記第２部材６２は、浄水機能を持たない湯水混合水栓１の前記胴２および第１部材６１が内嵌可能で、かつ、前記浄水機能付湯水混合水栓１’の前記第２の円筒状胴カバー４’が外嵌可能な筒状形状を有し、また、前記胴２の上端に形成された前記外ねじ３０に螺合する内ねじ６６（接続部）を上下方向における中間位置に有する。そして、第２部材６２は、内ねじ６６（接続部）と外ねじ３０との螺合によって接続された前記胴２と、前記第１部材６１とを内嵌させながら、前記浄水機能付湯水混合水栓１’の前記第２の円筒状胴カバー４’を外嵌させた状態では、前記胴カバー４’がずれ落ちないよう、縦断面逆Ｌ型の外向きフランジ６８を下端に有する。この外向きフランジ６８は、図３に示した座金１３および座パッキン１４を覆うよう胴２が第２部材６２によって嵌め込まれる。
【００２１】
第２部材６２は、上から順に、第１部材６１が嵌まり込む第１部材収容部６９と、胴２が嵌まり込む胴収容部８０とよりなる。
【００２２】
更に、この実施形態では、胴カバー４’が第２部材６２の下部のまわりを回動できるよう、外向きフランジ６８の上面部６８ｃと胴カバー４’の下面４ａ’間に隙間が設けられている。
すなわち、図５において上述したように、胴カバー４’は、下端の内周面に環状溝２００を有する。一方、胴カバー４’が外嵌する第２部材６２は、外向きフランジ６８の直上で、前記環状溝２００に対応する位置に、環状のＯリング溝８２を有する。そして、この実施形態では、前記Ｏリング溝８２と前記環状溝２００間にＯリング８３が嵌め込まれる構成を採用している。これは、浄水機能付湯水混合水栓１’の吐水管５’は、胴カバー４よりも大径の胴カバー４’と、浄水カートリッジ１０が内蔵されているシャワヘッド３３を有するので、浄水機能を持たない湯水混合水栓１の吐水管５より重たく、よって、胴カバー４’の下面４ａ’が外向きフランジ６８の上面部６８ｃに直接座当たると、胴カバー４’が回動し難いからである。
【００２３】
また、第２部材６２は、第１部材収容部６９の外周面に、環状溝９２を円周方向に有し、この環状溝９２には合成ゴムのＵパッキン９３が嵌込まれている。更に、第２部材６２は、胴収容部８０の外周面に環状溝９４を円周方向に有し、この環状溝９４にも合成ゴムのＵパッキン９５が嵌込まれている。
【００２４】
また、第２部材６２は、カートリッジ１１’内で混合された湯水混合水が流れる流路Ｍ’、導出流路Ｇ、混合流路Ｍに連通可能な一対の連通孔１００，１００をＵパッキン９５直上の外周面に有する。そして、胴カバー４’に設けた前記連通孔２７’から混合流路Ｍの湯水混合水が吐水管５’内に形成されている原水流路３３ａに至る。このとき、第２部材６２の外周面の上下位置にそれぞれ設けた前記Ｕパッキン９３およびＵパッキン９５によって胴カバー４’および第２部材６２間がシールされており、湯水混合水が胴カバー４’および第２部材６２間からリークするのを確実に防止できる。
【００２５】
【発明の効果】
以上詳述したようにこの発明では、浄水カートリッジを内蔵した吐水管を、浄水機能を持たない湯水混合水栓の吐水管に代えて容易に後付け設置できる湯水混合水栓における吐水管取り替え用アダプタを提供できる効果がある。
【図面の簡単な説明】
【図１】  この発明の一実施形態における吐水管取り替え動作を示すを示す分解斜視図である。
【図２】  上記実施形態における吐水管取り替え後の湯水混合水栓を示す全体構成説明図である。
【図３】  上記実施形態における取り付け状態を説明するための要部分解図である。
【図４】  浄水機能を持たない湯水混合水栓を示す全体構成説明図である。
【図５】  浄水機能付湯水混合水栓を示す全体構成説明図である。
【符号の説明】
１…浄水機能を持たない湯水混合栓、２…胴、４…第１の円筒状胴カバー、４’…第２の円筒状胴カバー、５，５’…吐水管、１０…浄水カートリッジ、６０…アダプタ、６１…第１部材、６２…第２部材、６６…接続部、６８…外向きフランジ、Ｈ…湯流路、Ｍ…混合流路、ｎ…上面、Ｊ…吐水流路、Ｍ’…混合流路に連通可能な流路。
【図１】
0004041692.tif 000002
【図２】
0004041692.tif 000003
【図３】
0004041692.tif 000004
【図４】
0004041692.tif 000005
【図５】
0004041692.tif 000006